(57)【特許請求の範囲】
【請求項１】
背部解放ストラップによりハーネスの背部位置に取り付けられた基本落下停止アタッチメントを有するハーネスと、
背部解放ストラップ上に配置された解放可能な摩擦器具と、
基本落下停止アタッチメントに接続された位置変更テザーと
を備える落下停止ハーネス。
【請求項２】
左肩部分と、
右肩部分と、
左脚部分と、
右脚部分と、
胸部分と
を更に備える請求項１記載のハーネス。
【請求項３】
基本落下停止アタッチメントが、リングである
請求項１記載のハーネス。
【請求項４】
背部解放ストラップが、ハーネスの一方の側から、基本落下停止アタッチメントを介して、そして、ハーネスの他方の側上の解放可能な摩擦器具を介して延在する
請求項１記載のハーネス。
【請求項５】
解放可能な摩擦器具は、ハーネスの臀部位置に配置される
請求項４記載のハーネス。
【請求項６】
解放可能な摩擦器具は、解放可能な摩擦器具の手動操作のためのストラップを含む
請求項１記載のハーネス。
【請求項７】
位置変更テザーは、ハーネスのウエストストラップに取り付けられた端部を有する
請求項１記載のハーネス。
【請求項８】
位置変更テザーは、ハーネスの胸ストラップに取り付けられた端部を有する
請求項１記載のハーネス。
【請求項９】
落下停止ハーネスの吊り下げ箇所を背部位置から手動で制御可能に移動する方法であって、
落下停止ハーネスのユーザの落下を背部位置で最初に停止するステップと、
ユーザの体重による張力が背部解放ストラップから位置変更テザーに移されるまで、背部解放ストラップを解放可能な摩擦器具を介して解放するステップと
を有する方法。
【請求項１０】
吊り下げ箇所を移動することは、解放可能な摩擦器具を操作して、背部解放ストラップ上の摩擦を徐々に削減し、それによって、移動速度を制御することを含む
請求項９記載の方法。
【請求項１１】
前記ユーザの体重による張力が背部解放ストラップから位置変更テザーに移されたときには、前記背部解放ストラップのしっぽが、前記摩擦器具を通過していない位置にある
請求項９記載の方法。
【請求項１２】
肩ストラップと、
脚ストラップと、
背部落下停止アタッチメントと、
背部落下停止アタッチメントに取り付けられた背部解放ストラップと、
背部落下停止アタッチメントに接続された位置変更テザーと、
背部落下停止アタッチメントを背部位置から他の位置へと手動で移動する手段と
を有する落下停止ハーネス。
【請求項１３】
手動で移動する手段は、背部解放ストラップに取り付けられた解放可能な摩擦制御器具を含む
請求項１２記載のハーネス。
【請求項１４】
背部落下停止アタッチメントは、リングである
請求項１２記載のハーネス。
【請求項１５】
背部解放ストラップが、ハーネスの一方の側から、背部落下停止アタッチメントを介して、そして、ハーネスの他方の側上の解放可能な摩擦制御器具を介して延在する
請求項１２記載のハーネス。
【請求項１６】
解放可能な摩擦制御器具は、ハーネスの臀部位置に配置される
請求項１３記載のハーネス。
【請求項１７】
背部解放ストラップは、ガイド留め具（brace）により配置される
請求項１２記載のハーネス。
【請求項１８】
解放可能な摩擦制御器具は、当該器具を手動で解放するためのストラップを含む
請求項１２記載のハーネス。
【請求項１９】
位置変更テザーは、ハーネスの胸ストラップに取り付けられた端部を有する
請求項１２記載のハーネス。
【請求項２０】
位置変更テザーは、ハーネスのウエストストラップに取り付けられた端部を有する
請求項１２記載のハーネス。
【発明の詳細な説明】
【背景技術】
【０００１】
本発明は、概して安全ハーネスに関し、特に、落下停止（fall arrest）のために用いられるハーネスに関する。落下停止ハーネスの現状の技術は、背部位置（dorsal location）の基本落下停止アタッチメントポイントを利用する。背部位置は、落下する人物を停止する間に、エネルギーの最適な移動を提供し、落下停止ハーネスの典型的なユーザを管理するいくつかの業界標準において、基本落下停止アタッチメントポイントのために要求される位置である。
【発明の概要】
【発明が解決しようとする課題】
【０００２】
背部位置により落下を停止することの顕著な負の副作用は、自分を救出することの難しさにある。負荷のかかった背部アタッチメントポイントに手を伸ばして操作することができないことは、落下した作業者を他の人が救出することを必要とする。救出の何らかの遅れは、背部位置から吊り下げることによる医学的な併発症につながることもあり、そのような併発症は、作業者や着用されたハーネスのデザインに依存して、時として、数分程度で発生する。それゆえ、吊り下げ箇所を背部位置からより有利な位置へと移す能力が望ましい。以前のデザインは、吊り下げ箇所の自動又は手動の移動を可能にしたが、その移動は制御できなかった。自動的な移動は、展開によっては、潜在的に有害なエネルギー移動を伴う望ましくない位置で、落下を停止することになることがある。手動的な移動は、もしも制御されなければ、身体への追加の力を伴う第２の落下及び停止となることがある。結果として、従前のハーネスの欠点に対処する落下停止ハーネスの改善されたデザインへの要望が存在する。
【課題を解決するための手段】
【０００３】
本発明は、落下停止ハーネスと、吊り下げ箇所を背部位置からより有利な位置へと手動で制御可能に移動する方法とに向けられる。このハーネス及び方法は、身体へのエネルギーの最適な移動のための背部位置での最初の停止と、第２の落下及び停止がない吊り下げの滑らかな移動とを確実にする。方法は、いくつかの案の１つであっても良く、ハーネスのユーザにより容易に手が届き、操作されても良い。ハーネスは、左肩部分、右肩部分、左脚部分、右脚部分、胸部分、臀部分、背部解放（release）ストラップを備える。ハーネスは、更に、落下停止アタッチメントポイントをハーネス前部の第２位置に接続する位置変更テザー（tether）を含む。
【発明の効果】
【０００４】
本発明に係る作用は、落下した人物の救出が機能できるまでの間、潜在的な医学的併発症につながる状況を軽減するために、吊り下げ箇所を背部位置からより有利な位置へと移動する制御可能な手段を提供することにある。
【図面の簡単な説明】
【０００５】
【図１】本発明に係る落下停止ハーネスの正面図である。
【図２】図１の落下停止ハーネスの背面図である。
【図３】本発明に係る落下停止ハーネスの別の実施の形態の正面図である。
【発明を実施するための形態】
【０００６】
図１、２において、本発明に係る落下停止ハーネス１０の１つの実施の形態が示される。ハーネス１０は、典型的には、複数の部分を有する織布であるウェビング（webbing）でできている。他の素材も利用可能である。ハーネスは、右肩部分１２、左肩部分１４を含み、当該肩部分のそれぞれは、着用者の胸及び腹の上、肩の上、及び、着用者の背中を交差するように下って延在し、縫い合わされる１５。ハーネスは、更に、輪になった右脚部分１６及び左脚部分１８のためのウェビングを含む。当該脚部分のそれぞれは、その上に配置された摩擦器具（friction device）又はバックル２０を通っても良い。脚部分のそれぞれは、例えば、脚部分の輪の配置を維持するために、ウェビングが通過する輪を形成するように、ストラップの上に縫い目２６により縫い付けられたストラップの部分２４を有していても良いが、他の配置も可能である。右脚部分の端部２８は、摩擦器具３０を介して輪となり、摩擦器具３０に接続する。脚部分の端部３４は、バックル２２を介して輪となり、バックル２２に付着する。肩部分の端部３６もバックル２２に付着する。
【０００７】
ハーネス１０は、更に、着用者の周りの胸部分を締め付けるためのバックル４０を介して延在する胸部分３８を含む。胸部分３８の端部は、肩部分ストラップ上に縫い付けられる。ハーネスは更に脚部分のそれぞれに縫い付けられたストラップの部分である、骨盤下（sub-pelvic）ストラップ４４を含む。ハーネスは、更に、背部解放ストラップ４８と位置変更テザー５０とを介してハーネス１０に取り付けられた基本落下停止アタッチメントポイント４６を含む。例えば、アタッチメントポイント４６はＤリングであっても良い。
【０００８】
図２に示される第１実施の形態において、背部解放ストラップ４８は、脚部分に縫い付けられること５４により、臀部でハーネスの１つの端部５２に固定される。背部解放ストラップは、背部位置でアタッチメントポイント４６を通り、次に下って、反対側の臀部位置６０で摩擦器具３０を通る。背部解放ストラップは、ガイドウェビング６２と、ガイドウェビング６２に縫い付けられたガイドストラップ６４とにより、背部位置で保持される。背部解放ストラップは、ガイドウェビング６２と、ガイドストラップ６４との間で延在する。
【０００９】
位置変更テザー５０は、一方の端部６６において、アタッチメントポイント４６に取り付けられ、他方の端部６８において、図１に示されるウエストストラップ７０により、又は、図３に示される胸ストラップに接続されることにより、ハーネスの前部に取り付けられる。スナップリンク（snap link）又は他の同様の接続器具（図示せず）は、ハーネスを、解放可能な落下停止アタッチメントポイント４６を介して、適切な固定具に接続する。
【００１０】
背部解放ストラップ４８は、十分な長さ（又は、十分な長さのしっぽ（tail））を有し、ユーザの体重による張力が、背部解放ストラップから位置変更テザー５０に移されるまで、摩擦器具３０を介してストラップが解放されることを可能にし、このようにして、背部解放ストラップのいかなる自由で制限されていない動きも防ぎ、それにより、第２の落下及び停止も防ぐ。
【００１１】
吊り下げ箇所の移動は、ユーザが臀部位置でストラップ７２を引くことにより摩擦器具３０を操作して達成される。この位置は、たとえ、最初の落下でユーザが傷ついたとしても、摩擦器具を操作するための最適な手段をユーザに提供する。摩擦器具３０のデザインは、摩擦器具を外れるストラップ７６を引くことにより、ユーザが背部解放ストラップ上の摩擦を徐々に削減することを可能にし、これにより、移動に影響を与える速度を制御する。いったん、ユーザの体重による張力が位置変更テザー５０に移されると、ユーザは、摩擦器具を介して背部解放ストラップの残りのしっぽを手動で送り込むことができる。このことは、基本落下停止アタッチメントポイント４６をハーネスの背部位置から完全に解放することを可能にし、ユーザの吊り下げをより有利な位置へと完全に移動する。
【００１２】
本発明の実施の形態について、本発明は開示されてきたけれども、この後に請求されるような本発明の意図された範囲の中で、変更及び修正がなされることができることが理解されるべきである。
【図１】
0006705074.tif 000002
【図２】
0006705074.tif 000003
【図３】
0006705074.tif 000004